(57)【要約】【課題】装着時に不快感を生じさせることなく、皺やヨレの発生を抑え、臀部の丸みに沿って臀部の広い範囲を覆い、確実に体液の漏れが防止できるようにしたヒップホールド用フラップを備える。【解決手段】透液性表面シート３と裏面シート２との間に吸収体４が介在された本体部分の両側部に夫々、装着時に下着のクロッチ部分を巻き込むようにして固定されるウイング状フラップＷが形成されるとともに、これより後側の前記本体部分の両側部に夫々、装着時に下着の臀部内面側に固定されるヒップホールド用フラップＨが形成された吸収性物品である。前記ヒップホールド用フラップＨの幅方向外側の端部Ｈａは、前記ウイング状フラップＷの幅方向外側の端部Ｗａより幅方向外側に位置するとともに、前記ヒップホールド用フラップＨに吸収性物品の略長手方向に沿って弾性伸縮部材１３を配置する。【選択図】図１
2015084974.tif 000002
【特許請求の範囲】
【請求項１】
透液性表面シートと裏面シートとの間に吸収体が介在された本体部分の両側部に夫々、装着時に下着のクロッチ部分を巻き込むようにして固定されるウイング状フラップが形成されるとともに、これより後側の前記本体部分の両側部に夫々、装着時に下着の臀部内面側に固定されるヒップホールド用フラップが形成された吸収性物品において、
前記ヒップホールド用フラップの幅方向外側の端部は、前記ウイング状フラップの幅方向外側の端部より幅方向外側に位置するとともに、前記ヒップホールド用フラップに、吸収性物品の略長手方向に沿って弾性伸縮部材が配置されていることを特徴とする吸収性物品。
【請求項２】
前記弾性伸縮部材は、吸収性物品の前側で幅方向外側に膨出し、吸収性物品の後側で幅方向内側に膨出する略Ｓ字状に配置されている請求項１記載の吸収性物品。
【請求項３】
前記弾性伸縮部材は、伸長率５％以下で配置されている請求項１、２いずれかに記載の吸収性物品。
【請求項４】
前記ヒップホールド用フラップは、本体部分から外方の斜め後方に延びる前側外形線と、本体部分の後側端部又はこれより外方に延在した端部から外方の斜め前方に延びる側部外形線とを有し、前記前側外形線と側部外形線とが交差する隅部が、前記ヒップホールド用フラップの幅方向外側の端部を形成している請求項１〜３いずれかに記載の吸収性物品。
【請求項５】
前記前側外形線と側部外形線とが交差する隅部において、前記裏面シートの外面に三角形状の先端側粘着剤層が備えられ、
前記先端側粘着剤層は、前記前側外形線及び側部外形線にほぼ平行な２辺と、これら２辺の内方側端部同士を結んだ１辺とからなり、前記前側外形線にほぼ平行な辺が、前記前側外形線の長さの２／３以上の長さで形成されるとともに、前記側部外形線にほぼ平行な辺より長く形成されている請求項４記載の吸収性物品。
【発明の詳細な説明】
【技術分野】
【０００１】
本発明は、透液性表面シートと裏面シートとの間に吸収体が介在された本体部分の両側部に夫々、装着時に下着のクロッチ部分を巻き込むようにして固定されるウイング状フラップが形成されるとともに、これより後側の前記本体部分の両側部に夫々、装着時に下着の臀部内面側に固定されるヒップホールド用フラップが形成された吸収性物品に関する。
【背景技術】
【０００２】
従来より、生理用ナプキン、パンティライナー、失禁パッドなどの吸収性物品Ｎとしては、例えば図９および図１０に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させるとともに、本体部分の両側部に夫々、装着時に下着のクロッチ部分を巻き込むようにして固定されるウイング状フラップ５３、５３が形成され、且つこれより後側の本体部分の両側部に夫々、装着時に下着の臀部内面側に固定されるヒップホールド用フラップ５４、５４が形成されたものが知られている。
【０００３】
この種の吸収性物品Ｎとしては、装着状態でのズレ止めを図るために、例えば本体部分の非肌当接面側（外面）に１または複数条の粘着剤層５５，５５を形成し、かつ前記ウイング状フラップ５３、５３の不透液性裏面シート５０側の面（外面）に夫々粘着剤層５６，５６を形成するとともに、前記ヒップホールド用フラップ５４、５４の不透液性裏面シート５０側の面に夫々ヒップズレ止め粘着剤層５７、５７を形成するようにしたものが存在する。
【０００４】
前記吸収性物品Ｎを下着３０に固定する際には、図１１に示されるように、吸収性物品Ｎのウイング状フラップ５３が形成される中央部分を体液排出部にあてがい、側方に突出する前記ウイング状フラップ５３、５３を下着より取り出し、両ウイング状フラップ５３、５３を折返し線ＲＬ、ＲＬで折返し、下着のクロッチ部分を巻き込むようにしながら下着３０の股間部外面に接着すると同時に、前記ヒップホールド用フラップ５４、５４を臀部部分にて拡げてヒップズレ止め粘着剤層５７、５７を下着３０の臀部内面側に接着するようにする。
【０００５】
前記ヒップホールド用フラップ５４は、臀部の広い範囲を覆うことによって後方からの経血の漏れを防止することを主な目的とするものであるが、ヒップホールド用フラップ５４を広く形成した場合には皺やヨレが生じやすく、却って漏れが発生しやすくなるという問題がある。
【０００６】
このような問題を解決することなどを目的として、下記特許文献１では、横方向の両側に突出する折返しフラップ部と、この折返しフラップ部よりも後方の突出起点からナプキンの後縁までの範囲で横方向の両側に突出する後方フラップ部とを有しており、前記後方フラップ部は、前記突出起点から前記後縁までの縦方向の長さの中点よりも前方において、縦方向中心からの半幅寸法が最大となる最大幅部が位置し、前記最大幅部から前記後縁に向けて半幅寸法が徐々に小さくなる形状で形成された生理用ナプキンが開示されている。
【０００７】
また、ヒップホールド用フラップ５４のヨレを防止する対策としては、下記特許文献２に開示されるように、縦長状の吸収性本体、及び該吸収性本体の後方における長手方向左右両側に設けられた左右一対の後方ウイング部を具備する吸収性物品において、上記後方ウイング部に、液体保持性のウイング部用吸収体を具備させることによって、後方ウイング部の剛性を高めることも一つの手段であると考えられる。
【先行技術文献】
【特許文献】
【０００８】
【特許文献１】特許第４２５２４３９号公報
【特許文献２】特許第３５４８０２７号公報
【発明の概要】
【発明が解決しようとする課題】
【０００９】
しかしながら、上記特許文献１記載の生理用ナプキンでは、後方フラップ部を大きく形成することによって臀部の広い範囲を覆うようにしているが、後方フラップ部は剛性が低いため、後方フラップ部をあまり大きくしすぎると装着時に臀部の丸みに沿って変形したときに皺やヨレが発生しやすく、体液の漏れが生じやすいという問題があった。
【００１０】
また、上記特許文献２記載の吸収性物品を応用して、後方ウイング部に吸収体などを介在させることによって剛性を高めるようにした場合には、後方ウイング部の厚みが増して装着時に違和感を与えるとともにムレの原因となるなど、不快感に繋がるおそれがあった。
【００１１】
そこで本発明の主たる課題は、装着時に不快感を生じさせることなく、皺やヨレの発生を抑え、臀部の丸みに沿って臀部の広い範囲を覆い、確実に体液の漏れが防止できるようにしたヒップホールド用フラップを備えた吸収性物品を提供することにある。
【課題を解決するための手段】
【００１２】
上記課題を解決するために請求項１に係る本発明として、透液性表面シートと裏面シートとの間に吸収体が介在された本体部分の両側部に夫々、装着時に下着のクロッチ部分を巻き込むようにして固定されるウイング状フラップが形成されるとともに、これより後側の前記本体部分の両側部に夫々、装着時に下着の臀部内面側に固定されるヒップホールド用フラップが形成された吸収性物品において、
前記ヒップホールド用フラップの幅方向外側の端部は、前記ウイング状フラップの幅方向外側の端部より幅方向外側に位置するとともに、前記ヒップホールド用フラップに、吸収性物品の略長手方向に沿って弾性伸縮部材が配置されていることを特徴とする吸収性物品が提供される。
【００１３】
上記請求項１記載の発明では、前記ヒップホールド用フラップとして、幅方向外側の端部が前記ウイング状フラップの幅方向外側の端部より幅方向外側に位置するとともに、吸収性物品の略長手方向に沿って弾性伸縮部材を配置した構造としている。このように、ヒップホールド用フラップの幅方向外側の端部をウイング状フラップの幅方向外側の端部より幅方向外側に位置させることによって、ヒップホールド用フラップが幅広に形成されるため、装着時にヒップホールド用フラップが臀部の広い範囲を覆い、体液の漏れが確実に防止できるようになる。
【００１４】
また、このようにヒップホールド用フラップを幅広に形成した場合、皺やヨレの発生が懸念されるが、本発明では、ヒップホールド用フラップに吸収性物品の略長手方向に沿う弾性伸縮部材を配置してあるため、ヒップホールド用フラップの皺やヨレの発生を抑えつつ、臀部の丸みに沿って変形しやすくなる。また、ヒップホールド用フラップに吸収体などを介在させていないので、装着時に不快感が生じることがなくなる。
【００１５】
請求項２に係る本発明として、前記弾性伸縮部材は、吸収性物品の前側で幅方向外側に膨出し、吸収性物品の後側で幅方向内側に膨出する略Ｓ字状に配置されている請求項１記載の吸収性物品が提供される。
【００１６】
上記請求項２記載の発明は、前記ヒップホールド用フラップに設けられる弾性伸縮部材の平面パターンについて規定したものであり、吸収性物品の前側で幅方向外側に膨出し、吸収性物品の後側で幅方向内側に膨出する略Ｓ字状に配置するようにしたものである。これによって、後側の弾性伸縮部材が相対的に幅方向内側、すなわち吸収体に近い側で固定されるのに対して、前側の弾性伸縮部材が相対的に幅方向外側、すなわち自由端に近い側で固定されるようになる。このため、後側が相対的に変形しにくい固定側となり、前側が相対的に変形しやすい自由端側となる。更に、前側の弾性伸縮部材は、幅方向外側に膨出して配置されているため、これを直線方向に戻そうとする力が作用し、ヒップホールド用フラップの前側領域が内側に引き寄せられる力を生じさせている。その結果、ヒップホールド用フラップには、弾性伸縮部材に沿って後側に引っ張られる張力が作用すると同時に、前側領域が内側に引き寄せられる張力が作用し、これらの張力の組み合わせによって、ヒップホールド用フラップが全体として臀部の丸みに沿って湾曲状に（お椀型に）変形しやすくなる。このため、ヒップホールド用フラップに皺やヨレが生じ難く、確実に体液の漏れが防止できるようになる。
【００１７】
請求項３に係る本発明として、前記弾性伸縮部材は、伸長率５％以下で配置されている請求項１、２いずれかに記載の吸収性物品が提供される。
【００１８】
上記請求項３記載の発明では、あまり高い伸長率で弾性伸縮部材を配置するとヒップホールド用フラップが強く丸まりすぎてしまい、逆に多数の皺が発生するおそれがあるため、前記弾性伸縮部材の伸長率を５％以下と比較的緩やかな値に規定している。
【００１９】
請求項４に係る本発明として、前記ヒップホールド用フラップは、本体部分から外方の斜め後方に延びる前側外形線と、本体部分の後側端部又はこれより外方に延在した端部から外方の斜め前方に延びる側部外形線とを有し、前記前側外形線と側部外形線とが交差する隅部が、前記ヒップホールド用フラップの幅方向外側の端部を形成している請求項１〜３いずれかに記載の吸収性物品が提供される。
【００２０】
上記請求項４記載の発明では、前記ヒップホールド用フラップの平面形状について規定している。具体的には、本体部分から外方の斜め後方に延びる前側外形線と、本体部分の後側端部又はこれより外方に延在した端部から外方の斜め前方に延びる側部外形線とを有する形状で形成され、前記前側外形線と側部外形線とが交差する隅部が、前記ヒップホールド用フラップの幅方向外側の端部を形成するようにしている。これによって、前記前側外形線がショーツの脚周り開口の臀部側開口縁に沿って配置されるようになり、臀部の広い範囲が覆われるとともに、脚周り開口からの漏れが確実に防止できるようになる。
【００２１】
請求項５に係る本発明として、前記前側外形線と側部外形線とが交差する隅部において、前記裏面シートの外面に三角形状の先端側粘着剤層が備えられ、
前記先端側粘着剤層は、前記前側外形線及び側部外形線にほぼ平行な２辺と、これら２辺の内方側端部同士を結んだ１辺とからなり、前記前側外形線にほぼ平行な辺が、前記前側外形線の長さの２／３以上の長さで形成されるとともに、前記側部外形線にほぼ平行な辺より長く形成されている請求項４記載の吸収性物品が提供される。
【００２２】
上記請求項５記載の発明では、前記ヒップホールド用フラップの前側外形線と側部外形線とが交差する隅部の裏面シートの外面に備えられる三角形状の先端側粘着剤層について規定している。前記先端側粘着剤層を三角形状にすることによって、四角形状に形成したものより粘着剤の量を減少させることができ、十分な粘着強度で資材を節約することができるようになる。また、前側外形線にほぼ平行な辺を、前側外形線の長さの２／３以上の長さで形成するとともに、側部外形線にほぼ平行な辺より長く形成しているため、ショーツの脚部開口に沿って配設される前側外形線の接着強度を十分に確保できる。一方、接着時に皺の原因となりやすい側部外形線にほぼ平行な辺の長さは、相対的に短くしている。
【発明の効果】
【００２３】
以上詳説のとおり本発明によれば、装着時に不快感を生じることなく、皺やヨレの発生が抑えられ、臀部の丸みに沿って臀部の広い範囲を覆い、確実に体液の漏れが防止できるようになるヒップホールド用フラップを備えた吸収性物品が提供できるようになる。
【図面の簡単な説明】
【００２４】
【図１】本発明に係る生理用ナプキン１の一部破断展開図である。
【図２】その裏面図である。
【図３】図１のIII−III線矢視図である。
【図４】図１のIV−IV線矢視図である。
【図５】ヒップホールド用フラップＨの拡大平面図である。
【図６】ヒップホールド用フラップＨの変形状態を示す拡大図である。
【図７】生理用ナプキン１の個装要領を示す平面図である。
【図８】生理用ナプキン１の製造過程を示す平面図である。
【図９】従来の生理用ナプキンＮを示す展開図である。
【図１０】従来の生理用ナプキンＮを示す断面図である。
【図１１】ナプキンの装着状態を示す斜視図である。
【発明を実施するための形態】
【００２５】
以下、本発明の実施の形態について図面を参照しながら詳述する。
【００２６】
〔生理用ナプキン１の基本構造〕
本生理用ナプキン１は、図１乃至図４に示されるように、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、少なくとも体液排出部位を含むように前後方向に所定の区間内において表面側に突出して設けられた左右一対の立体ギャザーＢＳ、ＢＳとから主に構成され、かつ前記吸収体４の周囲においては、その上下端縁部では前記不透液性裏面シート２と透液性トップシート３との外縁部がホットメルトなどの接着剤やヒートシール等の接着手段によって接合され、またその両側縁部では吸収体４よりも側方に延出している前記不透液性裏面シート２と、前記立体ギャザーＢＳを形成しているサイド不織布７とがホットメルトなどの接着剤やヒートシール等の接着手段によって接合され、これら不透液性裏面シート２とサイド不織布７とによる積層シート部分によって側方に突出するウイング状フラップＷ、Ｗが形成されているとともに、これよりも臀部側に位置する部分にヒップホールド用フラップＨ、Ｈが形成されている。
【００２７】
以下、さらに前記生理用ナプキン１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２８】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００２９】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００３０】
前記透液性表面シート３の幅寸法は、図示例では、図３の横断面図に示されるように、吸収体４の幅よりも若干長めとされ、吸収体４を覆うだけに止まり、前記立体ギャザーＢＳ、ＢＳは前記透液性表面シート３とは別のサイド不織布７によって形成されている。前記サイド不織布７は、経血やおりもの等が浸透するのを防止する、あるいは肌触り感を高めるなどの目的に応じて、適宜の撥水処理または親水処理を施した不織布素材を用いて構成されている。かかる不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。また、前記サイド不織布７としては、装着時に脚周りに当たるので、ＳＭＭＳのようなごわついたものよりも、エアスルー不織布のような肌ざわりの柔らかいものを用いるのがよい。
【００３１】
前記サイド不織布７は、図３及び図４に示されるように、幅方向中間部より外側部分を吸収体４の内側位置から吸収体側縁を若干越えて不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイング状フラップＷ、Ｗを形成するとともに、これより臀部側位置にヒップホールド用フラップＨ，Ｈを形成している。
【００３２】
図２に示されるように、前記吸収体４が介在する本体部分の不透液性裏面シート２の外面側には、装着状態でのズレ止めを図るために、１又は複数条の本体粘着剤層１０、１０…を備えている。また、前記ウイング状フラップＷ、Ｗの外面側にはそれぞれ、粘着剤層１１を備え、ショーツに対する装着時に、前記ウイング状フラップＷ、Ｗが折返し線ＲＬ位置にて裏面シート２側に折り返され、ショーツのクロッチ部分に巻き付けて止着するようになっている。更に、ヒップホールド用フラップＨ、Ｈの外面側にはそれぞれ、粘着剤層１２、１８を備え、ヒップホールド用フラップＨ、Ｈがショーツの臀部内面側に止着するようになっている。
【００３３】
前記サイド不織布７の内方側は二重に折り返され、この二重シート内部の所定位置に、その高さ方向中間部に両端または長手方向の適宜の位置が固定された複数条の、図示例では２条の糸状弾性伸縮部材８、８が配設され、体液排出部位を含む所定の長手方向範囲において、図３及び図４に示されるように、左右一対の立体ギャザーＢＳを形成するようになっている。前記立体ギャザーＢＳは、図３及び図４に示される例では、外側に１回折り返された直線状に形成されているが、複数回折り返したＺ形のものなど公知の形態のものを採用することが可能である。
【００３４】
〔ヒップホールド用フラップＨについて〕
本生理用ナプキン１では、図１に示されるように、前記ヒップホールド用フラップＨは、幅方向外側の端部Ｈａが、ウイング状フラップＷの幅方向外側の端部Ｗａより幅方向外側に位置している。すなわち、ヒップホールド用フラップＨは、ウイング状フラップＷより幅広に形成されている。このため、装着時にヒップホールド用フラップＨが臀部の広い範囲を覆い、体液の漏れが確実に防止できるようになる。ここで、前記幅方向外側の端部Ｈａ、Ｗａとは、図１に示されるように、各フラップＨ、Ｗの外形線の接線がナプキン幅方向線Ｌと一致する部分のことである。
【００３５】
前記ヒップホールド用フラップＨは、より詳細には、図５に示されるように、本体部分から外方の斜め後方に延びる前側外形線１４と、本体部分の後側端部から外方に延びる後側外形線１５と、前記後側外形線１５の外側端部から外方の斜め前方に延びる側部外形線１６とから構成されている。前記前側外形線１４と側部外形線１６とが交差する隅部において、前記ヒップホールド用フラップＨの幅方向外側の端部Ｈａが形成されている。
【００３６】
前記前側外形線１４は、ウイング状フラップＷの後側外形線が本体部分から外方に延びる基端部の後側に離間した位置を基点として外方に延びている。前記前側外形線１４は、図示例では装着時にショーツの脚周り開口縁に沿うように直線で形成されているが、直線、曲線、波状線又はこれらいずれかの組み合わせによって形成することができる。前記前側外形線１４は、本体部分から外方に所定の角度αで斜め後方に延びている。前記前側外形線１４とナプキン幅方向線Ｄとのなす角αは、１０°〜４０°、好ましくは２０°〜３０°とするのがよい。この範囲で形成することにより、装着時に前側外形線１４がショーツの脚周り開口縁に沿うようになる。
【００３７】
前記後側外形線１５は、本体部分の後側端部から、本体部分の後側外形線を外側に延在させたような、後側に突出する湾曲線状に形成されている。この後側外形線１５は必ずしも設ける必要はなく、本体部分の後側端部から直接的に側部外形線１６が形成されるようにしてもよい。
【００３８】
前記側部外形線１６は、後側外形線１５の外側端部から外方に所定の角度βで斜め前方に延びている。前記側部外形線１６とナプキン幅方向線Ｄとのなす角βは、５０°〜８０°、好ましくは６０°〜７０°とするのがよい。前記側部外形線１６は、図示例では直線で形成されているが、直線、曲線、波状線又はこれらいずれかの組み合わせによって形成することも可能である。
【００３９】
前記前側外形線１４と側部外形線１６とが交差する隅部の角度γは、８０°〜１１０°、好ましくは９０°〜１００°とするのがよい。この角度γを９０°近傍の角度で形成することにより、脚周りからの圧力などによる皺やヨレの発生が抑えられ、臀部のより広い範囲を覆うことができるようになる。
【００４０】
前記ヒップホールド用フラップＨの側部は、前記前側外形線１４及び側部外形線１６によって、これら外形線１４、１６が交差する隅部を先端とする幅方向外側に突出した山形に形成されている。また、ヒップホールド用フラップＨは、図５に示されるように、前側外形線１４の本体部分から外方に延びる基点と、側部外形線１６と後側外形線１５との接点とを結ぶ仮想線Ｓを引いたとき、この仮想線Ｓより外側がほぼ三角形状に形成されている。装着時に特に皺やヨレが発生しやすい前記仮想線Ｓより外側領域を三角形状とすることによって、装着時に臀部の丸みに沿ってヒップホールド用フラップＨがナプキン長手方向及び幅方向に湾曲したとき、この領域に皺やヨレが発生しにくく、臀部のより広い範囲を覆うことができるようになるため、体液の漏れが確実に防止できるようになる。
【００４１】
吸収体４の側縁からヒップホールド用フラップＨの幅方向外側の端部Ｈａまでの長さＭＨは、吸収体４の側縁からウイング状フラップＷの幅方向外側の端部Ｗａまでの長さＭＷより長く形成されている（ＭＨ＞ＭＷ）。前記長さＭＨは、４０〜８０ｍｍとするのがよい。
【００４２】
また、前記ヒップホールド用フラップＨの幅方向外側の端部Ｈａのナプキン長手方向の位置は、ヒップホールド用フラップＨのナプキン長手方向の長さの中央部より前側とするのが望ましい。これにより、前側外形線１４がショーツの脚部開口縁に沿って形成されやすくなり、臀部の広い範囲を覆って、体液の漏れが確実に防止できるようになる。
【００４３】
一方、前記ヒップホールド用フラップＨは、図１に示されるように、前記不透液性裏面シート２とサイド不織布７との間に、生理用ナプキン１の略長手方向に沿って、弾性伸縮部材１３、１３…が両端又は適宜の位置が固定されて連続して配置されている。このため、ヒップホールド用フラップＨが弾性伸縮部材１３の伸縮作用によって丸まりやすくなり、ヒップホールド用フラップＨの皺やヨレの発生を抑えつつ、臀部の丸みに沿って変形しやすくなる。
【００４４】
前記弾性伸縮部材１３は、図１に示される平面視で、ナプキン前側で幅方向外側に膨出し、ナプキン後側で幅方向内側に膨出する略Ｓ字状に配置することが望ましい。かかるＳ字状に配置することによって、後側の弾性伸縮部材１３が相対的にナプキン幅方向の内側、すなわち吸収体４に近い難変形性の固定側に固定されるのに対し、前側の弾性伸縮部材１３が相対的にナプキン幅方向の外側、すなわち吸収体４から遠い易変形性の自由端側に固定されるようになる。また、前側の弾性伸縮部材１３は、幅方向外側に膨出する湾曲状に配置されているため、この弾性伸縮部材１３が直線に戻ろうとする力が作用し、ヒップホールド用フラップＨの前側領域を内側に引き寄せる力が作用している。その結果、弾性伸縮部材１３に沿ってヒップホールド用フラップＨが後側に引っ張られる張力と、前側領域が内側に引き寄せられる張力との複合作用によって、図６に示されるように、ヒップホールド用フラップＨが全体として臀部の丸みに沿って湾曲するお椀型に変形しやすくなる。このため、ヒップホールド用フラップＨに皺やヨレが生じ難く、確実に体液の漏れが防止できるようになる。仮に、ヒップホールド用フラップＨの前側で幅方向内側に膨出するパターンで配置した場合には、ヒップホールド用フラップＨの前側領域が外側に引き延ばされる力が作用し、ヒップホールド用フラップＨが臀部の丸みに沿って変形しにくくなる。
【００４５】
なお、弾性伸縮部材１３が幅方向外側に膨出するナプキン前側の領域とは、ヒップホールド用フラップＨと本体部分との接続部のナプキン長手方向の長さを２等分したときの前側半分の領域である。同じく、弾性伸縮部材１３が幅方向内側に膨出するナプキン後側の領域とは、ヒップホールド用フラップＨと本体部分との接続部のナプキン長手方向の長さを２等分したときの後側半分の領域である。
【００４６】
前記弾性伸縮部材１３を湾曲状に配置する場合、Ｒ３０ｍｍ〜Ｒ５０ｍｍ程度の１又は複数の円弧によって形成するのが好ましい。この程度の大きさの円弧で湾曲状に配置することにより、上述の弾性伸縮部材１３をＳ字状に配置した効果が発揮されやすくなる。
【００４７】
前記弾性伸縮部材１３は、糸ゴム状の弾性部材とするのが好ましく、１条又はナプキン幅方向に離間する複数条で配置することができるが、あまり多数の弾性伸縮部材１３を配置すると、ヒップホールド用フラップＨが丸まりが強くなってしまい、却ってヨレや折れの原因となるおそれがあるので、図示例のように３条程度とするのが好ましい。
【００４８】
前記弾性伸縮部材１３は、ナプキン長手方向線Ｌに対し、前側が幅方向外側に若干傾斜する方向に沿って配置することが好ましく、前記側部外形線１６とほぼ平行する方向に沿って配置することが好ましい。これによって、弾性伸縮部材１３は、ナプキン後側が吸収体４に近い側に固定される一方で、ナプキン前側が自由端側に近い側に固定されるようになり、弾性伸縮部材１３を設けた効果がより明確に発揮されるようになる。
【００４９】
前記弾性伸縮部材１３は、伸長率５％（自然長の１．０５倍）以下の伸長状態で配置することが好ましい。弾性伸縮部材１３の伸長率を高くし過ぎると、ヒップホールド用フラップＨが縮んでしまい、装着しにくくなる。伸長率を５％程度にすると、臀部の丸みに沿う緩やかなカーブが再現できるようになる。また、弾性伸縮部材１３は、伸長率０％の伸長させない状態、すなわち自然状態で配置してもよい。自然状態で配置しても、装着時にヒップホールド用フラップＨが臀部の丸みに沿って変形したときに復元する力を生じるので上記効果が発揮されるようになる。
【００５０】
前記弾性伸縮部材１３は、ヒップホールド用フラップＨの後側外形線１５又はその近傍の外形線から、前側外形線１４にかけて連続的に配設されている。前記弾性伸縮部材１３の一部又は全部は、ナプキン後側部分が、吸収体４と重なるように配置してもよい。図示例では、３条の弾性伸縮部材１３、１３…のうち、内側に配置された１条の弾性伸縮部材１３のみが、ナプキン後側部分が吸収体４と重なるように配置されている。
【００５１】
また、前記弾性伸縮部材１３…がナプキン幅方向に所定の間隔で離間して複数条に亘って配置される場合、隣接する弾性伸縮部材１３、１３の各離間幅は、図示例のように等幅でもよいし、伸縮力を強化したい部位の離間幅を狭くするなどのように異なる幅で配置してもよい。また、弾性伸縮部材１３…はそれぞれ同一の材質、太さ、伸長率のものを用いてもよいし、異ならせてもよい。例えば、幅方向外側をより高く湾曲させるため、外側の弾性伸縮部材１３の太さと伸長率のいずれかもしくは両方が徐々に大きくなるようにすることができる。
【００５２】
ところで、前記立体ギャザーＢＳを形成しているサイド不織布７の内方側の二重シート部分は、前後端部では折り畳んで積層された状態で吸収体４側に接着されている。これによって、その長手方向中間部が、前記糸状弾性伸縮部材８、８の伸縮作用によって表面側に起立する立体ギャザーＢＳが形成されている。ここで、サイド不織布７の前後端部の接着領域は、前記弾性伸縮部材１３がＳ字状に配置される場合、ナプキン後側で幅方向内側に膨出する部分より後側とすることが好ましい。この部分より前側の領域を接着すると、立体ギャザーＢＳが起立しようとする力によってヒップホールド用フラップＨが引きつられてヨレが生じてしまうことがある。
【００５３】
次に、不透液性裏面シート２の外面側に設けられるズレ止め粘着剤層について説明する。ヒップホールド用フラップＨの不透液性裏面シート２の外面側には、図２に示されるように、前記前側外形線１４と側部外形線１６とが交差する隅部において、平面視三角形状の先端側粘着剤層１２が備えられるとともに、ヒップホールド用フラップＨの基端側寄り位置に基端側粘着剤層１８が備えられている。前記先端側粘着剤層１２は、主にヒップホールド用フラップＨの幅方向外側をショーツに固定するためのものである。前記基端側粘着剤層１８は、主に生理用ナプキン１の後側をショーツに固定するためのものである。
【００５４】
前記先端側粘着剤層１２は、前記前側外形線１４及び側部外形線１６にほぼ平行な２辺１２ａ、１２ｂと、これら２辺の内方側端部同士を結んだ１辺１２ｃとによって三角形状の外形線を成している。また、図２に示されるように、前側外形線１４にほぼ平行な辺１２ａの長さＡは、前側外形線１４の長さＢの２／３以上（Ａ≧（２／３）×Ｂ）で形成されるとともに、前記側部外形線１６にほぼ平行な辺１２ｂの長さＣより長く（Ａ＞Ｃ）形成されている。ここで、前側外形線１４の長さＢは、前側外形線１４と側部外形線１６とを延長させた交点から、生理用ナプキン１の本体部分の外形線と前側外形線１４とを延長させた交点までのとする。
【００５５】
前記先端側粘着剤層１２を三角形状に形成することによって、四角形状に形成したものより粘着剤の量を減少させることができ、ヒップホールド用フラップＨの先端側を固定するという目的を達成するのに十分な粘着強度を確保した上で、資材を節約することができる。また、辺１２ａの長さＡと前側外形線１４の長さＢとの関係を上記の関係で形成することにより、ショーツの脚部開口に沿って配設される前側外形線１４の接着強度を十分に確保している。一方で、辺１２ａの長さＡと辺１２ｂの長さＣとの関係を上記の関係で形成することにより、前記弾性伸縮部材１３の伸縮作用による影響を受けやすい側部外形線１６にほぼ平行な辺の長さを相対的に短くして、装着時の皺の発生を抑制している。
【００５６】
前記基端側粘着剤層１８は、四角形状、三角形状、台形状など、任意の形状で形成することができる。前記基端側粘着剤層１８は、好ましくは前記先端側粘着剤層１２より後側に配置するのがよく、これにより生理用ナプキン１の後側部分をショーツに固定できるようになる。また、前記基端側粘着剤層１８のナプキン幅方向の位置は、前記ウイング状フラップＷに備えられる粘着剤層１１のナプキン幅方向の位置とほぼ一致することが好ましく、前記先端側粘着剤層１２とナプキン長手方向に重ならないナプキン幅方向内側に設けることが好ましい。これにより、後段で詳述するようにナプキン個装時に剥離紙が設置しやすくなるとともに、ヒップホールド用フラップＨが臀部の丸みに沿って変形したときに各粘着剤層１２、１８同士が干渉せずに皺やヨレを生じるのが防止できるようになる。
【００５７】
次に、図７に基づいて、本生理用ナプキン１の個装要領について説明する。先ずはじめに、両方のウイング状フラップＷ、Ｗ及びヒップホールド用フラップＨ、Ｈを、本体部分との境界位置を折れ線として透液性表面シート３側に折り畳む。その後、各粘着剤層１１…、１２…、１８…を覆うとともに、これら粘着剤層１１…、１２…、１８…間に跨る剥離紙２１によって連結した状態で、少なくとも前記本体粘着剤層１０、１０…に対応する領域に剥離処理が施された包装材２０の上に載置する。次いで、包装材２０を幅方向に沿う折り線位置にて、三つ折り又は四つ折りなどの任意の折り数で、ナプキン共々内側に折り返した後、タックシール２２等で固着する。
【００５８】
ここで、前記ヒップホールド用フラップＨ、Ｈを透液性表面シート３側に折り返す際、ヒップホールド用フラップＨの先端が反対側の先端側粘着剤層１２に重ならない位置で折り返すようにするのが望ましい。また、ヒップホールド用フラップＨ、Ｈを折り返したときの幅寸法をコンパクトにするため、先端側粘着剤層１２をヒップホールド用フラップＨの内側寄りに形成し、ヒップホールド用フラップＨ、Ｈの先端同士を重ねるように折り返してもよいが、先端側粘着剤層１２を内側に寄せすぎると、ヒップホールド用フラップＨの先端がめくれやすくなるおそれがあるため、先端同士を突き合わせた状態か、若干離間した状態で折り返すようにする方が好ましい。
【００５９】
次いで、本生理用ナプキン１の製造方法のうち、特に前記弾性伸縮部材１３の配設要領について、図８に基づいて説明する。前記不透液性裏面シート２をロールから繰り出すとともに、弾性伸縮部材１３をロールから繰り出し、コーターによって弾性伸縮部材１３の周面に接着剤を塗布するとともに、所定のテンションをかけた状態で前記不透液性裏面シート２の上面に波状パターンで配置し、その上に適宜吸収体４、透液性表面シート３、サイド不織布７等を積層する。その後、生理用ナプキン１の外形に沿って裁断することにより製品を得ることができる。
【００６０】
ここで、図８に示されるように、生理用ナプキン１の外形に沿って裁断する際、弾性伸縮部材１３の流れ方向の関係上、後続する生理用ナプキン１の前端部分の両側に一部の弾性伸縮部材１３がかかってしまっても構わない。前述の通り、弾性伸縮部材１３の伸長率は高くても５％程度なので、吸収体４の厚みで端部が丸まることは生じ難い。仮に、縮こまりが大きいときには、この部分の弾性伸縮部材１３を細かく切断する処理を施すことにより、弾性伸縮部材１３の伸縮力を生じさせないようにすることができる。
【符号の説明】
【００６１】
１…生理用ナプキン、２…不透液性裏面シート、３…透液性表面シート、４…吸収体、５…クレープ紙、７…サイド不織布、１０…本体粘着剤層、１１…ウイング粘着剤層、１２…先端側粘着剤層、１３…弾性伸縮部材、１４…前側外形線、１５…後側外形線、１６側部外形線、１８…基端側粘着剤層、２０…包装材、２１…剥離紙
【図１】
2015084974.tif 000003
【図２】
2015084974.tif 000004
【図３】
2015084974.tif 000005
【図４】
2015084974.tif 000006
【図５】
2015084974.tif 000007
【図６】
2015084974.tif 000008
【図７】
2015084974.tif 000009
【図８】
2015084974.tif 000010
【図９】
2015084974.tif 000011
【図１０】
2015084974.tif 000012
【図１１】
2015084974.tif 000013